(57)【要約】【課題】番組の第1の地域における番組情報を第2の地域の番組情報に変換して、番組の受信、記録の予約や、既に記録された番組データの検索、再生を効率化すること。【解決手段】データ処理装置と、第2の地域で受信可能な放送局名及び前記放送局のチャンネル番号と、全国の放送系列系に属する放送局名とを格納した放送局データベースと、各放送局の番組表を格納した番組データベースを備える。番組の第1の地域における放送日時及び放送局名を入力し、その番組の第2の地域における放送日時及び第2の地域における放送局のチャンネル番号に変換して出力する。【選択図】        図１
2006217023.tif 000002
【特許請求の範囲】
【請求項１】
データ処理装置と、
放送局と前記放送局の系列局に関する情報を格納した放送局データベース及び番組の情報を格納した番組データベースを格納したデータ記憶装置と、
を具備し、
前記データ処理装置は、第1の地域における前記番組の放送日時である第1放送日時と前記第1の地域において前記番組を放送する放送局の名前である第1放送局名とを、前記放送局データベース及び前記番組データベースを参照して、第2の地域における前記番組の放送日時である第2放送日時と前記第2の地域において前記番組を放送する第2放送局のチャンネル番号である第2放送局チャンネル番号と、に変換する
放送番組情報変換システム。
【請求項２】
請求項１に記載の放送番組情報変換システムであって、
前記データ処理装置は
前記第1放送局名から、前記放送局データベースを参照して、前記第2放送局チャンネル番号及び前記第2放送局の名前である第2放送局名を取得し、
前記第1放送日時及び前記第1放送局名から前記番組データベースを参照して前記番組の番組名を取得し、
取得した前記第2放送局名及び前記番組名から、前記番組データベースを参照して前記第2放送日時を取得する
放送番組情報変換システム。
【請求項３】
請求項１又は２に記載の放送番組情報変換システムであって、
前記第1放送日時及び前記第2放送日時は、日付、放送開始時刻、及び放送終了時刻である
放送番組情報変換システム。
【請求項４】
請求項１乃至３のいずれかに記載の放送番組情報変換システムであって、
前記放送局データベースには、放送局名、放送系列名、放送局のチャンネル番号、及び前記第２の地域において受信可能な放送局名である受信可能放送局名が対応付けられて格納され、
前記番組データベースには、放送日付、放送開始時刻、放送終了時刻、番組名、及び放送局名が対応付けられて格納されている
放送番組情報変換システム。
【請求項５】
請求項１乃至４のいずれかに記載の放送番組情報変換システムであって、
前記番組データベースには、第1の地域と第2の地域のみの情報が格納されている
放送番組情報変換システム。
【請求項６】
請求項１乃至５のいずれかに記載の放送番組情報変換システムであって
放送番組を受信し、記録再生する記録再生装置を更に具備し、
前記記録再生装置が、
前記第2放送日時及び前記第2放送局チャンネル番号に基づいて、前記第2の地域において放送される前記番組を記録、又は受信する
放送番組情報変換システム。
【請求項７】
請求項１乃至６のいずれかに記載の放送番組情報変換システムであって、
前記記録再生装置が、
前記第2放送日時及び前記第2放送局チャンネルに基づいて、既に記録された番組データから前記番組を検索して再生する
放送番組情報変換システム。
【請求項８】
データ処理装置を提供するステップと、
放送局及び前記放送局の系列局に関する情報が格納された放送局データベースと番組の情報が格納された番組データベースとを格納したデータ記憶装置を提供するステップと、
前記データ処理装置が、第1の地域における前記番組の放送日時である第1放送日時と、第1の地域において前記番組を放送する第1放送局名とを取得するステップと、
前記データ処理装置が、前記第1放送日時及び前記第1放送局名を、前記放送局データベース及び前記番組データベースを参照して、第2の地域における前記番組の放送日時である第2放送日時と、第2の地域において前記番組を放送する第2放送局のチャンネル番号である第2放送局チャンネル番号と、に変換する変換ステップと、
前記データ処理装置が前記第2放送日時及び前記第2放送局チャンネル番号を出力するステップと
を具備する
放送番組情報変換方法。
【請求項９】
請求項８に記載された放送番組情報変換方法であって、
前記変換ステップは、
前記データ処理装置が、前記第1放送局名から、前記放送局データベースを参照して、前記第2放送局チャンネル番号及び前記第2放送局の名前である第2放送局名を取得するステップと、
前記データ処理装置が、前記第1放送日時及び前記第1放送局名から、前記番組データベースを参照して前記番組の番組名を取得するステップと、
前記データ処理装置が、取得した前記第2放送局名と、取得した前記番組名とから、前記番組データベースを参照して、前記第2放送日時を取得するステップと、
を具備する
放送番組情報変換方法。
【請求項１０】
請求項８又は９のいずれかに記載の放送番組情報変換方法であって、
前記第1放送日時及び前記第2放送日時は、日付、放送開始時刻、及び放送終了時刻である
放送番組情報変換方法。
【請求項１１】
請求項８乃至１０のいずれかに記載の放送番組情報変換方法であって、
前記放送局データベースは、放送局名、放送系列名、放送局のチャンネル番号、及び前記第２の地域において受信可能な放送局名である受信可能放送局名を対応付けて格納し、
前記番組データベースは、放送日付、放送開始時刻、放送終了時刻、番組名、及び放送局名を対応付けて格納している
放送番組情報変換方法。
【請求項１２】
請求項８乃至１１のいずれかに記載の放送番組情報変換方法であって、
放送番組を受信して記録再生する記録再生装置を提供するステップと、
前記記録再生装置が、
前記第2放送日時及び前記第2放送局チャンネルに基づいて、前記番組の前記第2の地域における放送を受信、又は記録するステップと
を更に具備した
放送番組情報変換方法。
【請求項１３】
請求項８乃至１２のいずれかに記載の放送番組情報変換方法であって、
前記記録再生装置が、
前記第2放送日時及び前記第2放送局チャンネルに基づいて、過去に記録した番組データから前記番組を検索して再生するステップ
を更に具備した
放送番組情報変換方法。
【請求項１４】
請求光８乃至１３のいずれか一項に記載の放送番組情報変換方法を実現する為のコンピュータにより実行可能なプログラム。
【発明の詳細な説明】
【技術分野】
【０００１】
本発明は、テレビやラジオなどの放送番組の受信、記録を予約するためのシステム、方法、及びプログラムに関する。また本発明は、テレビやラジオなどの放送番組をあらかじめ番組データとして記録し、その番組データを検索して再生するためのシステム、方法、及びプログラムに関する。
【背景技術】
【０００２】
放送番組の記録を予約するためには、番組の放送日付、放送開始時刻、放送終了時刻、放送局チャンネル番号を番組予約システムに入力する必要がある。従来の番組予約方法は、それらの情報をひとつひとつ番組予約システムに入力する方法であった。近年では、Ｇコードのように、ひとつひとつ情報を入力する手間をはぶくために、入力すべき情報を１つの数値にまとめる方法が考案されている。また、電子ＥＰＧ（電子番組表）のように表示された番組データに付属したボタンをクリックするだけでこれらの情報が番組予約システムに入力される方法も考案されている。
【０００３】
テレビやラジオの放送は、全国の地域ごとに異なる放送局から行われる。例えば、同じＮＨＫ（日本放送協会）の総合テレビ放送であっても、地域ごとに放送局チャンネル番号が異なる。ＮＨＫ以外の民放の放送局の放送エリアは地域ごとに限定されている。民放の多くは東京のキー局を中心とした放送系列を形成しており、同一番組の放送が同じ放送系列に属する放送局で行なわれている。したがって、同じ番組が放送される場合であっても、地域ごとに、放送局名、放送局チャンネル番号が異なる。また放送局ごとに番組編成が異なるから、同じ番組であっても、地域ごとに、放送日付、放送時刻も異なることが多い。
【０００４】
一方で、近年はインターネットのように地域を限定しない広域情報ネットワークが発達している。このような広域情報ネットワーク上にも、テレビやラジオの番組情報が大量に記述されて流通している。しかしながら、上述したように番組の放送は地域ごとに行われるため、ある番組の特定の地域における放送日付、放送開始時刻、放送終了時刻、及び放送局を知りえたとしても、別の地域では同一の放送日、放送開始時刻、放送終了時刻、放送局で放送されるとは限らない。すなわち、、ある番組の放送日付、放送開始時刻、放送終了時刻、及び放送局名がインターネットのような広域情報ネットワーク上で公開されても、その情報はある特定の地域内における情報でありその特定の地域でしか利用できなかった。
【０００５】
すでに記録された番組データを検索して再生する方法に関しても同様の課題が存在する。近年、ハードディスクなどの装置に多くの番組データを蓄積しておき後で再生して視聴する方法が普及している。すでに放送された番組の評判はインターネットのような広域情報ネットワーク上に公開されており、その評判にしたがって、番組データを再生し視聴したいと考えるユーザが増大している。しかしながら、このような評判情報も、特定の地域でしか利用できなかった。その番組の評判とともに、その番組の放送日、放送開始時刻、放送終了時刻、放送局名が記述してあっても、これら放送日、放送時刻、及び放送局名は異なる地域間では異なっており、地域によっては番組情報を直接利用することはできなかった。
【０００６】
番組の特定の地域における情報に基づいて、別の地域でその番組の受信、記録を予約する方法の提供が望まれていた。
【０００７】
また、ある地域の番組の情報を元にして、別の地域において既に記録された番組データを検索し、その番組を再生する方法の提供が望まれていた。
【０００８】
上記と関連して、番組名を入力することで、受信可能な放送局を検索し、その放送局の放送を受信する記録再生装置が、特開２００１−１５６５９５号公報（従来例１）に開示されている。また、リクエストメッセージ（番組内容）を用いて、そのリクエストメッセージに対応した放送局を選択し、その放送局の周波数及び放送時間を出力する放送局選択システムが、特開平８−２４２２１３号公報（従来例２）に開示されている。
【０００９】
その従来例１では、
放送局から送出される放送波を受信する受信手段と、
音声認識を行なう音声認識手段と、
現在位置を検出する位置検出手段と、
その放送局の系列局に関する系列局情報と、その放送局の受信可能エリアに関するエリア情報を記憶する情報記憶手段と、
その音声認識手段により放送局名が認識された時に、その位置検出手段で検出された現在位置とその情報記憶手段に記憶された系列局情報とエリア情報に基づき、受信に適した放送局を選択する放送局選択手段と、
その放送局選択手段により選択された放送局の放送を受信するように、その受信手段の受信周波数を制御する受信制御手段を備えたことを特徴とする記録再生装置であって、
番組名と放送局との関係を記憶する番組記憶手段と、
その番組記憶手段の記憶情報に基づき番組名から放送局を検索してその受信制御手段に出力する番組放送局変換手段とを更に有することを特徴とする
記録再生装置が開示されている。
【００１０】
その従来例２では、
車両側にラジオ受信機と、
ラジオ番組に関するリクエストメッセージを送信する送信手段と、
基地局からのデータを受信する受信手段と、が設けられ、
その基地局側に車両から送信されたそのリクエストメッセージを受信する受信手段と、
ラジオ放送局の番組内容を格納するデータベースと、
そのリクエストメッセージに対応する放送局をそのデータベースから選択し、その放送局の周波数及び放送時間を含むデータを前記車両に送信する送信手段と、が設けられることを特徴とする
放送局選択システムが開示されている。
【００１１】
しかしながら、上述の従来例では、番組名や番組内容をユーザーが入力する必要があった。ユーザーが入力した番組名や番組内容はそのままデータベースに格納されているとは限らない為、ユーザーが望む番組を特定できない場合があった。よって、ユーザーが望む番組を正確に特定する方法の提供が望まれていた。
【特許文献１】特開２００１−１５６５９５号公報
【特許文献２】特開平８−２４２２１３号公報
【発明の開示】
【発明が解決しようとする課題】
【００１２】
本発明の課題は、ある番組の特定の地域における情報を、別の地域における情報に変換する方法を提供することにある。
【００１３】
本発明の更に他の課題は、インターネットのような地域を限定しない広域情報ネットワーク上に提供されたある番組に関する情報から、その番組の記録、受信を予約する方法を提供することにある。
【００１４】
本発明の更に他の課題は、予め番組データが蓄積されている場合に、インターネットのような地域を限定しない広域情報ネットワーク上に提供されたある番組の情報から、蓄積されたその番組データを検索して記録再生装置に再生する方法を提供することにある。
【課題を解決するための手段】
【００１５】
以下に、［発明の実施の形態］で使用される番号・符号を用いて、課題を解決する為の手段を説明する。これらの番号・符号は［特許請求の範囲］の記載と［発明の実施の形態］の記載との対応関係を明らかにする為に付加されている。但し、付加された番号・符号は［特許請求の範囲］に記載されている発明の技術的範囲の解釈に用いてはならない。
【００１６】
本発明に係る放送番組情報変換システム１は
データ処理装置３と、
放送局と前記放送局の系列局に関する情報を格納した放送局データベース３１及び番組の情報を格納した番組データベース３２を格納したデータ記憶装置３０と、
を備え、
そのデータ処理装置３は、第1の地域におけるその番組の放送日時である第1放送日時と、その第1の地域においてその番組を放送する放送局の名前である第1放送局名４４とを、その放送局データベース３１及びその番組データベース３２を参照して、第2の地域におけるその番組の放送日時である第2放送日時と、その第2の地域においてその番組を放送する第2放送局のチャンネル番号である第2放送局チャンネル番号５４と、に変換する
放送番組情報変換システムである。
【００１７】
本発明に係る放送番組情報変換システム１において、
そのデータ処理装置３は
その第1放送局名４４から、その放送局データベース３１を参照して、その第2放送局チャンネル番号５４及びその第2放送局名を取得し、
その第1放送日時及びその第1放送局名４４から、その番組データベース３２を参照してその番組の番組名を取得し、
取得したその第2放送局名及びその番組名から、その番組データベース３２に基づいてその第2放送日時を取得する。
【００１８】
本発明に係る放送番組情報変換システム１において、
その第1放送日時は、
その番組の第1の地域における放送の日付を示す第1放送日付４１、その番組の第1の地域における放送開始時刻を示す第1放送開始時刻４２、及びその番組の第1の地域における放送終了時刻を示す第1放送終了時刻４３であり、
その第2放送日時は、
その番組の第２の地域における放送の日付を示す第２放送日付５１、その番組の第２の地域における放送開始時刻を示す第２放送開始時刻５２、及びその番組の第２の地域における放送終了時刻を示す第２放送終了時刻５３である。
【００１９】
本発明に係る放送番組情報変換システム１において、
その放送局データベース３１には、放送局名、放送系列名、放送局のチャンネル番号、及び前記第２の地域において受信可能な放送局名である受信可能放送局名が対応付けられて格納され、
その番組データベース３２には、放送日付、放送開始時刻、放送終了時刻、番組名、及び放送局名が対応付けられて格納されている。
【００２０】
本発明に係る放送番組情報変換システム１において、
その番組データベース３２には、第1の地域と第2の地域のみの情報が格納されていることが好ましい。
【００２１】
本発明に係る放送番組情報変換システム１は、
放送番組を受信し、記録再生する記録再生装置２０を更に備え、
その記録再生装置２０が、
その第2放送日時及びその第2放送局チャンネル番号５４に基づいて、その第2の地域において放送されるその番組を記録、又は受信する
放送番組情報変換システムである。
【００２２】
本発明に係る放送番組情報変換システム１は
その記録再生装置２０が、
その第2放送日時及びその第2放送局チャンネル番号５４に基づいて、既に記録された番組データからその番組を検索して再生する
放送番組情報変換システムである。
【００２３】
本発明に係る放送番組情報変換方法は、
データ処理装置３を提供するステップと
放送局及び前記放送局の系列局に関する情報が格納された放送局データベース３１と番組の情報が格納された番組データベース３２とを格納したデータ記憶装置３０を提供するステップと、
そのデータ処理装置３が、第1の地域におけるその番組の放送日時である第1放送日時と、第1の地域においてその番組を放送する第1放送局名４４とを取得するステップと、
そのデータ処理装置３が、その第1放送日時及びその第1放送局名４４を、その放送局データベース３１及びその番組データベース３２を参照して、第2の地域におけるその番組の放送日時である第2放送日時と、その第2の地域においてその番組を放送する第2放送局のチャンネル番号である第2放送局チャンネル番号５４と、に変換する変換ステップと、
そのデータ処理装置３がその第2放送日時及びその第2放送局チャンネル番号５４を出力するステップと
を備える。
【００２４】
本発明に係る放送番組情報変換方法において、
その変換ステップは、
そのデータ処理装置３が、その第1放送局名４４から、その放送局データベース３１を参照して、その第2放送局チャンネル番号５４及びその第2放送局の名前である第2放送局名を取得するステップと、
そのデータ処理装置３が、その第1放送日時及びその第1放送局名４４から、その番組データベース３２を参照してその番組の番組名を取得するステップと、
そのデータ処理装置３が、取得したその第2放送局名と、取得したその番組名とから、その番組データベース３２を参照して、その第2放送日時を取得するステップである。
【００２５】
本発明に係る放送番組情報変換方法において、
その第1放送日時は、
その番組の第1の地域における放送の日付を示す第1放送日付４１、その番組の第1の地域における放送開始時刻を示す第1放送開始時刻４２、及びその番組の第1の地域における放送終了時刻を示す第1放送終了時刻４３であり、
その第2放送日時は、
その番組の第２の地域における放送の日付を示す第２放送日付５１、その番組の第２の地域における放送開始時刻を示す第1放送開始時刻５２、及びその番組の第２の地域における放送終了時刻を示す第２放送終了時刻５３である。
【００２６】
本発明に係る放送番組情報変換方法において、
その放送局データベース３１は、放送局名、放送系列名、放送局のチャンネル番号、及びその第２の地域において受信可能な放送局名である受信可能放送局名を対応付けて格納し、
その番組データベース３２は、放送の日付、放送開始時刻、放送終了時刻、番組名、及び放送局名を対応付けて格納する。
【００２７】
本発明に係る放送番組情報変換方法は、
放送番組を受信して記録再生する記録再生装置２０を提供するステップと、
その記録再生装置２０が、
その第2放送日時及びその第2放送局チャンネル番号５４に基づいて、その番組の記録を予約するステップと
を更に備える。
【００２８】
本発明に係る放送番組情報変換方法は、
その記録再生装置２０が、
その第2放送日時及びその第2放送局チャンネル番号５４に基づいて、その番組を過去にその記録再生装置２０が記録した番組データから検索して再生するステップ
を更に備える。
【００２９】
本発明に係る放送番組情報変換プログラムは、
その放送番組情報変換方法を実現する為のコンピュータにより実行可能なプログラムである。
【００３０】
本発明に係る放送番組情報変換プログラムは、
その変換ステップが、
その第1放送局名４４から、その放送局データベース３１に基づいて、その第2放送局チャンネル番号５４及びその第2放送局の名前である第2放送局名を取得するステップと、
その第1放送日時及びその第1放送局名４４から、その番組データベース３２に基づいて、その番組の番組名を取得するステップと、
取得したその第2放送局名と取得したその番組の番組名とから、その番組データベース３２に基づいてその第2放送日時を取得するステップと
を備える。
【００３１】
本発明に係る放送番組情報変換プログラムにおいて、
その第1放送日時は、
その番組の第1の地域における放送の日付を示す第1放送日付４１、その番組の第1の地域における放送開始時刻を示す第1放送開始時刻４２、及びその番組の第1の地域における放送終了時刻を示す第1放送終了時刻４３であり、
その第2放送日時は、
その番組の第２の地域における放送の日付を示す第２放送日付５１、その番組の第２の地域における放送開始時刻を示す第1放送開始時刻５２、及びその番組の第２の地域における放送終了時刻を示す第２放送終了時刻５３であることが好ましい。
【００３２】
本発明に係る放送番組情報変換プログラムにおいて、
その放送局データベース３１は、放送局名、放送系列名、放送局のチャンネル番号、及びその第２の地域において受信可能な放送局名である受信可能放送局名を対応付けて格納し、
その番組データベース３２は、放送の日付、放送開始時刻、放送終了時刻、番組名、及び放送局名を対応付けて格納する。
【発明の効果】
【００３３】
本発明によれば、ある番組の特定の地域における情報を、別の地域におけるその番組の放送日時及び放送局チャンネル番号に変換することができる。
【００３４】
更に本発明によれば、インターネットのような地域を限定しない広域情報ネットワーク上に提供されたその番組に関する情報から、その番組の受信、記録を予約することができる。
【００３５】
更に本発明によれば、予め番組データが蓄積されている場合に、インターネットのような地域を限定しない広域情報ネットワーク上に提供されたある番組の番組情報から、蓄積された番組データを検索して、その番組を記録再生装置に再生することができる。
【発明を実施するための最良の形態】
【００３６】
次に、発明を実施するための最良の形態について図面を参照して詳細に説明する。
【００３７】
（構成）
図１は本発明の放送番組情報変換システム１の構成を示すブロック図である。本発明に係る放送番組情報変換システム１は、入力装置２、データ処理装置３、記録再生装置２０、及びデータ記憶装置３０を備えている。データ処理装置３は放送番組情報変換プログラム１２を備えている。放送番組情報変換プログラム１２はデータ処理装置３により実行されるプログラムであり、メモリー等の記憶装置に格納されている。放送番組情報変換プログラム１２は、放送局検索部５、番組検索部６を備えている。データ記憶装置３０は放送局データベース３１、番組データベース３２を備えている。
【００３８】
入力装置２は入力番組情報４０をデータ処理装置３へ送信する機能を実現する。その入力番組情報４０は、ユーザによって入力された情報であり、番組の第１の地域における情報である。その第1の地域はユーザが放送を受信する第2の地域とは一般的には異なる。その入力番組情報４０はその番組の第1の地域における放送日時及び放送局名を含んでいる。即ち、図５に示されるように、第1の地域における番組の放送日付４１（第1放送日付）、第1の地域におけるその番組の放送開始時刻４２（第1放送開始時刻）、第1の地域におけるその番組の放送終了時刻４３（第1放送終了時刻）、及び第1の地域におけるその番組の放送局名４４（第1放送局名）を含んでいる。入力装置２としては、入力番組情報４０をデータ処理装置３へ送信する手段を有するものであればよい。入力装置２としては、例えばユーザの音声を認識して情報をデータ処理装置へ送信する音声認識装置、リモートコントローラー、及びマウスやキーボードが挙げられる。
【００３９】
放送局データベース３１は、図２(a)に示されるように、放送局名及び放送系列名を対応付けて格納している。その放送局名とは全国の放送局の名前であり、その放送系列名とは放送局が属する放送系列の名前である。その放送系列としては日本テレビをキー局とする日本テレビ系、ＴＢＳテレビをキー局とするＴＢＳテレビ系、フジテレビをキー局とするフジテレビ系、テレビ朝日をキー局とするテレビ朝日系、テレビ東京をキー局とするテレビ東京系が例示される。更に、放送局データベース３１は、図２(b)に示されるように、受信可能放送局名とチャンネル番号を対応付けて格納している。例えば、ユーザが東京地域の放送を受信可能である場合には、受信可能放送局名として、ＮＨＫ総合テレビ、ＮＨＫ教育テレビ、日本テレビ、ＴＢＳテレビ、フジテレビ、テレビ朝日、及びテレビ東京が格納され、それぞれ放送局チャンネル番号である１、３、４、６、８、１０、及び１２と対応付けられている。
尚、受信可能放送局名及び放送局名も対応付けられている。
【００４０】
番組データベース３２には、図３に示されるように、番組表が記憶されている。即ち、番組名が、番組の放送日付、放送開始時刻、放送終了時刻、及び放送局名と対応付けられて格納されている。番組データベース３２に格納される番組表は、第1の地域及び第2の地域のみであることが好ましい。これにより、データ記憶装置が保持する情報量を抑える事ができる。番組データベース３２に格納される番組表はインターネットや放送電波に附属したＥＰＧ等によって適宜最新の情報に更新される。
【００４１】
データ処理装置３は、入力番組情報４０を取得し、放送番組情報変換プログラムを実行させて、変換番組情報５０に変換する機能を実現する。変換番組情報５０は、その番組の第2の地域における放送日時（第2放送日時）及び、その番組を第2の地域において放送する放送局のチャンネル番号を含んでいる。即ち、図６に示されるように第2の地域におけるその番組の放送日付５１（第2放送日付）、第2の地域におけるその番組の放送開始時刻５２（第2放送開始時刻）、第2の地域におけるその番組の放送終了時刻５３（第2放送終了時刻）、及び第2の地域におけるその番組の放送局チャンネル番号５４（第2放送局チャンネル番号）を含んでいる。データ処理装置３は例えば、演算処理装置（図示せず）及びメモリー等に格納された放送番組情報変換プログラムからなる。
【００４２】
放送局検索部５は、放送局データベース３１にアクセスして、第1放送局名４４から、第2放送局名と、第2放送局チャンネル番号５１とを取得する機能を実現する。ここで、第2放送局は、第2の地域において受信可能な放送局でありかつ第1放送局と同一の放送系列に属する放送局である。即ち、その番組を第2の地域において放送する放送局である。
【００４３】
番組検索部６は、番組データベース３２にアクセスして、第1放送日時及び第1放送局名から番組名を検索、取得する機能を実現する。更に、番組検索部は、その番組名及び第2放送局名から、第2放送日時を検索し、取得する機能も実現する。
【００４４】
記録再生装置２０は、放送局が放送する放送番組を受信して映像や音として出力する機能を実現する。また、記録再生装置は放送番組を受信して番組データとして記録する機能を実現する。更に、記録再生装置は未来に放送される番組の受信及び記録を予約する機能、及び既に記録された番組を再生する機能を実現する。
（動作）
図６は本発明における放送番組情報変換システム１の動作の流れを示すフローチャートである。まず、ユーザが入力した入力番組情報４０が入力装置２を介してデータ処理装置３に入力される（ステップ１０１）。続いて、データ処理装置３が第2放送局名及び第2放送局チャンネル番号５４を取得する。（ステップ１０２）。また、データ処理装置３は番組名を取得する（ステップ１０３）。続いて、データ処理装置３は第2放送日時を取得する（ステップ１０４）。続いて、データ処理装置３は取得した第2放送局チャンネル番号５４及び第2放送日時を変換番組情報５０として記録再生装置に出力する（ステップ１０５）。記録再生装置２０は、変換番組情報５０に基づいてその番組の記録又は再生する（ステップ１０６）。
【００４５】
（ステップ１０１）
まず、ユーザーが入力した入力番組情報４０が入力装置２を介してデータ処理装置３に入力される。
【００４６】
（ステップ１０２）
続いて、データ処理装置３は放送局検索部５を実行させて、第1放送局名４４を検索キーとして放送局データベース３１を検索する。データ処理装置３はである第2放送局名と第2放送局チャンネル番号５４とを取得する。
【００４７】
（ステップ１０３）
データ処理装置３は番組検索部６を実行させて、入力番組情報４０に含まれる第1放送日付４１、第1放送開始時刻４２、及び第1放送終了時刻４３を検索キーとして番組データベース３２を検索する。データ処理装置３は検索の結果である第1放送局で第1放送日付の第1放送開始時刻に放送される番組の番組名を取得する。
【００４８】
（ステップ１０４）
続いて、データ処理装置３が、再度番組検索部６を実行させて、放送局検索部５により取得した第2放送局名と、番組検索部６により取得した番組名とを検索キーとして、番組データベース３２から、第2放送日付５１、第2放送開始時刻５２、及び第2放送終了時刻５３を取得する。
【００４９】
（ステップ１０５）
続いて、データ処理装置３は、放送局検索部５及び番組検索部６により取得した第2放送日時及び第2放送局チャンネル番号５４を、変換番組情報５０として記録再生装置２０に出力する。
【００５０】
（ステップ１０６）
記録再生装置２０は、変換番組情報５０に基づいてその番組の記録再生を行なう。
即ち、その番組が第2の地域において未来に放送される場合は、その番組が放送される時間にその番組の受信又は記録を行なう。その番組が過去に放送された番組であった場合には、記録再生装置は記録した番組データを検索し、その番組を再生する。
【００５１】
以上説明したのように、本発明の実施の形態では、ある番組の第1の地域における放送日時及び放送局名を、第2の地域における放送日時及び放送局チャンネル番号に変換することが可能となる。ここで、ユーザが入力する情報は、放送日時及び放送局名であるため、ユーザが望む番組を確実に特定することができる。更に、変換された情報に基づいて、第2の地域におけるその番組の放送を記録再生装置によって受信し、記録することが可能である。また、その番組が第2の地域において既に放送された番組であり、記録再生装置が番組データとして記録した番組であった場合には、変換された情報に基づいて番組データを検索して再生することが可能である。すなわち、インターネットのような地域を限定しない広域情報ネットワークの上に、第1の地域における番組情報を記述して、それを第2の地域の利用者が利用することが可能となる。
【図面の簡単な説明】
【００５２】
【図１】図１は本発明のの実施の形態に係る放送番組情報変換システムの構成を示すブロック図である。
【図２】図２（ａ）及び（ｂ）は本発明の実施の形態に係る放送局データベースの内容を示す概念図である。
【図３】図３は本発明の実施の形態に係る番組データベースの内容を示す概念図である。
【図４】図４は本発明の実施の形態に係る入力番組情報の内容を示す概念図である。
【図５】図５は本発明の実施の形態に係る変換番組情報の内容を示す概念図である。
【図６】図６は本発明の実施の形態に係る放送番組情報変換方法を示すフローチャートである。
【符号の説明】
【００５３】
１      放送番組情報変換システム
２      入力装置
３      データ処理装置
５      放送局検索部
６      番組検索部
１２      放送番組情報変換プログラム
２０      記録再生装置
３０      データ記憶装置
３１      放送局データベース
３２      番組データベース
４０      入力番組情報
４１      第1放送日付
４２      第1放送開始時刻
４３      第1放送終了時刻
４４      第1放送局名
５０      変換番組情報
５１      第2放送日付
５２      第2放送開始時刻
５３      第2放送終了時刻
５４      第2放送局チャンネル番号
【図１】
2006217023.tif 000003
【図２】
2006217023.tif 000004
【図３】
2006217023.tif 000005
【図４】
2006217023.tif 000006
【図５】
2006217023.tif 000007
【図６】
2006217023.tif 000008